(57)【要約】【課題】両鼻当ての調整が容易で、しかも左右の鼻当てが必ず同時に上下する多焦点用眼鏡枠を提供する。【解決手段】左右の眼鏡枠１の各内側に取付座３を取り付け、取付座３に対し上下できるように鼻当て６を取り付けている。板材からなる連結片７によって左右の鼻当て６を連結し、連結片７に折曲げ部８を設けている。取付座３には磁石４を設けて上下位置において磁石１０・１１を鼻当て６側に設けている。取付座３に対して鼻当て６を上昇させると、取付座３の磁石４と鼻当て６の下方の磁石１１とが吸着し合い、遠方視の状態になる。眼鏡枠１を持ち上げ鼻当て６をまゆ毛の生え際辺りに押し付けると鼻当て６に対し取付座３が上昇し、取付座３の磁石４が鼻当て６の上方の磁石１０と吸着し合って近点視の状態になる。連結片７で連結しているため左右の鼻当て６は連動する。連結片７に折曲げ部８があるため、両鼻当て６の間隔や傾斜角度を調整できる。【選択図】      図２
2005084664.tif 000002
【特許請求の範囲】
【請求項１】
左右の眼鏡枠（１）の各内側に取付座（３）をそれぞれ取り付け、各鼻当て（６）の上下方向の移動をガイドするガイド手段を取付座（３）側と鼻当て（６）側との間にそれぞれ設けてそれらガイド手段を介して取付座（３）に対し上下移動ができるように鼻当て（６）をそれぞれ取り付け、そして上下方向には変形せずある程度以上の力を加えると水平方向には変形する部材からなる連結片（７）の左右に鼻当て（６）をそれぞれ取り付けており、また取付座（３）には磁石（４）を設けて磁石（４）と対向する上方位置及び下方位置において磁石（４）と吸着し合う磁石（１０）及び磁石（１１）を鼻当て（６）側に設けた多焦点用眼鏡枠。
【請求項２】
上下方向には変形せずある程度以上の力を加えると水平方向には変形する部材が、立てて配置した板材であることを特徴とする、請求項１記載の多焦点用眼鏡枠。
【請求項３】
波形に折り曲げた折曲げ部（８）を連結片（７）に形成したことを特徴とする、請求項１又は２記載の多焦点用眼鏡枠。
【請求項４】
連結片（７）と両鼻当て（６）とを別別に製作し、連結片（７）の両端付近において連結片（７）と両鼻当て（６）とを止め具（１４）等で連結したことを特徴とする、請求項１〜３のいずれかの項記載の多焦点用眼鏡枠。
【請求項５】
連結片（７）と両鼻当て（６）とを別別に製作し、連結片（７）の両端付近において連結片（７）と両鼻当て（６）とを水平方向に配置した止め具（１４）で連結し、止め具（１４）を中心として連結片（７）に対し両鼻当て（６）を回転させ角度調整ができるようにしたことを特徴とする、請求項１〜３のいずれかの項記載の多焦点用眼鏡枠。
【請求項６】
連結片（７）と両鼻当て（６）とを別別に製作し、連結片（７）の両端付近において連結片（７）と両鼻当て（６）とを上下方向に配置した止め具（１４）で連結し、止め具（１４）を中心として連結片（７）に対し両鼻当て（６）を回転させ間隔調整や角度調整ができるようにしたことを特徴とする、請求項１〜３のいずれかの項記載の多焦点用眼鏡枠。
【請求項７】
連結片（７）と両鼻当て（６）とを別別に製作し、連結片（７）の両端付近において連結片（７）のほぼ長手方向に寝せて楕円形状の調節穴（１２）をあけ、調節穴（１２）を貫通させた止め具（１４）を鼻当て（６）に取り付けて両鼻当て（６）の間隔調整ができるようにしたことを特徴とする、請求項１〜３のいずれかの項記載の多焦点用眼鏡枠。
【請求項８】
連結片（７）は上下方向や水平方向に変形しない材料で製作し、連結片（７）の左右に上下方向に配置した止め具（１４）で保持片（１３）をそれぞれ連結して止め具（１４）を中心として連結片（７）に対し両保持片（１３）を回転させることができるようにし、しかも各保持片（１３）には水平方向に配置した止め具（１４）で鼻当て（６）をそれぞれ連結して止め具（１４）を中心として各保持片（１３）に対し両鼻当て（６）を回転させることができるようにし、両鼻当て（６）の間隔調整や角度調整ができるようにしたことを特徴とする、請求項１記載の多焦点用眼鏡枠。
【発明の詳細な説明】
【技術分野】
【０００１】  本発明は、多焦点レンズをはめ込むものであって、鼻当てを上下させることで眼鏡枠を上下させ、どのレンズ部を使用する場合も使用レンズ部が適正高さになるようにした多焦点用眼鏡枠に関するものである。
【背景技術】
【０００２】  本発明の発明者は、多焦点レンズをはめ込み、鼻当てを上下させることで眼鏡枠を上下させ、どのレンズ部を使用する場合も使用レンズ部が適正高さになるようにした多焦点用眼鏡枠を発明し、出願も済ませている（特許文献１参照）。このものは、次のようなものである。すなわち、左右の眼鏡枠の各内側に取付座をそれぞれ取り付け、各鼻当ての上下方向の移動をガイドするガイド手段を取付座側と鼻当て側との間にそれぞれ設けてそれらガイド手段を介して取付座に対し上下移動ができるように鼻当てをそれぞれ取り付け、取付座に磁石を取り付けてその磁石と吸着し合う磁石を鼻当ての上方位置及び下方位置にそれぞれ取り付けたものである。【０００３】  取付座に対し左右の鼻当てを上昇させ鼻当ての下方の磁石と取付座の磁石とを吸着させた状態で眼鏡枠を装用すると、眼鏡枠は下方位置で保持され遠方視の状態になる。眼鏡枠を持ち上げて鼻当てをまゆ毛の生え際辺りに押し当てると、取付座に対し左右の鼻当てが下降する。鼻当ての上方の磁石と取付座の磁石とが吸着し、この状態で眼鏡枠を装用すると、眼鏡枠は上昇位置で保持され近点視の状態になる。再び遠方視の状態にするには、眼鏡枠を押し下げればよい。
【特許文献１】特開平８−２９２４００号公報
【発明の開示】
【発明が解決しようとする課題】
【０００４】  前記従来のものは本出願の出願人が会長を務める株式会社和真で製造販売を続けているが、一般消費者に好評で良く売れ続けている。しかし、左右の鼻当てが同時に作動せず、片方だけが上下して他方が残されてしまうこともあるといった苦情が出ることもある。また、左右の鼻当ての間隔や傾斜角度を装用者の顔面形状・鼻形状に合せる調整作業もやっかいだという欠点もある。本発明が解決しようとする課題は、両鼻当ての調整が容易で、しかも左右の鼻当てが必ず同時に上下する多焦点用眼鏡枠を提供する点にある。
【課題を解決するための手段】
【０００５】  請求項１に係る多焦点用眼鏡枠は、左右の眼鏡枠１の各内側に取付座３をそれぞれ取り付け、各鼻当て６の上下方向の移動をガイドするガイド手段を取付座３側と鼻当て６側との間にそれぞれ設けてそれらガイド手段を介して取付座３に対し上下移動ができるように鼻当て６をそれぞれ取り付け、そして上下方向には変形せずある程度以上の力を加えると水平方向には変形する部材からなる連結片７の左右に鼻当て６をそれぞれ取り付けており、また取付座３には磁石４を設けて磁石４と対向する上方位置及び下方位置において磁石４と吸着し合う磁石１０及び磁石１１を鼻当て６側に設けたものである。【０００６】  遠方視の状態にするには、取付座３に対して鼻当て６を上昇させる。取付座３の磁石４と鼻当て６の下方の磁石１１とが吸着し合い、鼻当て６は上昇位置にあって眼鏡枠１は逆に下方位置に保持され、遠方視の状態になっている。近点視の状態にするには、眼鏡枠１を持ち上げ鼻当て６をまゆ毛の生え際辺りに押し付ける。鼻当て６に対し取付座３が上昇し、取付座３の磁石４が鼻当て６の上方の磁石１０と吸着し合って近点視の状態になる。再び遠方視の状態にするには、鼻当て６が当たっている鼻の当接面に向かって眼鏡枠１を押し下げる。取付座３が下降して遠方視の状態になる。【０００７】  上下方向には変形せずある程度以上の力を加えると水平方向には変形する部材からなる連結片７で左右の鼻当て６を連結しているため、左右の鼻当て６を上下させるとき両者は完全に連動する。左右の鼻当て６を上下させるとき連結片７にねじれの力が発生することがある。連結片７を例えば丸棒・角棒等で製作した場合、ねじれの力が発生して連結片７がねじれると、左右の鼻当て６の一方又は両方が引っ掛りスムースには上下しないこともある。請求項１に係るものにおいては、ねじれの力が発生しても連結片７はねじられることがなく左右の鼻当て６はスムースに上下する。【０００８】  請求項２に係るものは、請求項１記載のものにおいて、上下方向には変形せずある程度以上の力を加えると水平方向には変形する部材が、立てて配置した板材であることを特徴とするものである。【０００９】  請求項３に係るものは、請求項１又は２記載のものにおいて、波形に折り曲げた折曲げ部８を連結片７に形成したことを特徴とするものである。折曲げ部８は一箇所に設けてもよいし、二箇所以上に設けてもよい。折曲げ部８の部分を引き伸ばしたり縮めたりひねったりすることで、装用者の顔面形状・鼻形状に合せ、左右の鼻当て６の間隔や前後左右方向の傾斜角度を自由に調整することができる。【００１０】  請求項４に係るものは、請求項１〜３のいずれかの項記載のものにおいて、連結片７と両鼻当て６とを別別に製作し、連結片７の両端付近において連結片７と両鼻当て６とを止め具１４等で連結したことを特徴とするものである。連結片７と鼻当て６とはねじ等の各種止め具１４を用いて連結してもよいし、連結片７・鼻当て６の一方に突起を一体に形成して他方に突起がはまる穴を設け、突起を穴にはめて連結するようにしてもよい。接着させて連結してもよい。長さの異なる連結片７を複数用意し、装用者の個人差に合せ最適のものを選択するようにしてもよい。【００１１】  請求項５に係るものは、請求項１〜３のいずれかの項記載のものにおいて、連結片７と両鼻当て６とを別別に製作し、連結片７の両端付近において連結片７と両鼻当て６とを水平方向に配置した止め具１４で連結し、止め具１４を中心として連結片７に対し両鼻当て６を回転させ角度調整ができるようにしたことを特徴とするものである。【００１２】  請求項６に係るものは、請求項１〜３のいずれかの項記載のものにおいて、連結片７と両鼻当て６とを別別に製作し、連結片７の両端付近において連結片７と両鼻当て６とを上下方向に配置した止め具１４で連結し、止め具１４を中心として連結片７に対し両鼻当て６を回転させ間隔調整や角度調整ができるようにしたことを特徴とするものである。【００１３】  請求項７に係るものは、請求項１〜３のいずれかの項記載のものにおいて、連結片７と両鼻当て６とを別別に製作し、連結片７の両端付近において連結片７のほぼ長手方向に寝せて楕円形状の調節穴１２をあけ、調節穴１２を貫通させた止め具１４を鼻当て６に取り付けて両鼻当て６の間隔調整ができるようにしたことを特徴とするものである。【００１４】  請求項８に係るものは、請求項１記載のものにおいて、連結片７は上下方向や水平方向に変形しない材料で製作し、連結片７の左右に上下方向に配置した止め具１４で保持片１３をそれぞれ連結して止め具１４を中心として連結片７に対し両保持片１３を回転させることができるようにし、しかも各保持片１３には水平方向に配置した止め具１４で鼻当て６をそれぞれ連結して止め具１４を中心として各保持片１３に対し両鼻当て６を回転させることができるようにし、両鼻当て６の間隔調整や角度調整ができるようにしたことを特徴とするものである。
【発明の効果】
【００１５】  本発明に係る多焦点用眼鏡枠を使用するときは、一方の鼻当てが片動きをするようなことはなく、左右の鼻当ては同時に上下する。また、両鼻当ての間隔調整・角度調整も容易にできる。
【発明を実施するための最良の形態】
【００１６】  本発明を実施するための最良の形態を図１及び図２に基づいて説明する。図１は鼻当てを眼鏡枠に取り付けた状態を示す斜視図である。図２は図１に示した鼻当て部材の正面図、平面図及び正面図のＡ−Ａ断面図である。図１で１は眼鏡枠を示している。両眼鏡枠１の各内側に支持脚２の後端をそれぞれ取り付け、支持脚２の先端に取付座３をねじでそれぞれ取り付けている。図２に示すように、取付座３の先端は垂直方向の円筒に形成し、円筒内に円柱状の磁石４を取り付けている。【００１７】  別体の鼻当て部材５を用意している。鼻当て部材５は、左右の鼻当て６と左右の鼻当て６の上部を連結する連結片７とからなっている。連結片７は板材で製作して立てた状態で配置しており、上下方向には変形しないが、ある程度以上の力を加えると水平方向には変形するものとしている。連結片７の両端付近に波形に折り曲げた折曲げ部８を形成している。鼻当て６の前面は緩やかな湾曲面に形成し、後面には取付座３の円筒がちょうどはまる溝を垂直方向に形成して溝に取付座３の円筒をはめている。また、その溝の上方に抜止め片９をはめ、取付座３の磁石４と吸着し合う円柱状の磁石１０を抜止め片９に埋め込んでいる。さらに、その溝の下方位置において取付座３の磁石４と吸着し合う円柱状の磁石１１を鼻当て６に埋め込んでいる。【００１８】  図１・図２に示したものは次のようにして組み立てる。まず、図２に示した鼻当て部材５において、装用者の顔面形状・鼻形状に合った最適の間隔・傾斜角度になるように左右の鼻当て６を調整する。鼻当て部材５の連結片７に折曲げ部８を形成したため、左右の鼻当て６の間隔やあらゆる方向の傾斜角度を自由に調整することができる。そして、左右の支持脚２に対し左右の取付座３をねじで取り付けた後に、両鼻当て６の間隔・傾斜角度を最終的に調整する。【００１９】  以上のようにして組み立てた多焦点用眼鏡枠は次のように使用する。図１・２は、取付座３に対して鼻当て６が上昇し、取付座３の磁石４が鼻当て６の下方の磁石１１と吸着し合った状態を示している。鼻当て６は上昇位置にあって眼鏡枠１は逆に下方位置に保持され、遠方視の状態になっている。近点視の状態にするには、眼鏡枠１を持ち上げ鼻当て６をまゆ毛の生え際辺りに押し付ける。鼻当て６に対し取付座３が上昇し、取付座３の磁石４が抜止め片９の磁石１０と吸着し合って近点視の状態になる。再び遠方視の状態にするには、鼻当て６が当たっている鼻の当接面に向かって眼鏡枠１を押し下げる。取付座３が下降して遠方視の状態になる。【００２０】  本発明を実施するための別の最良の形態を図３に基づいて説明する。図３は別の最良の形態を示す正面図及び平面図である。連結片７は水平方向・上下方向に変形しない硬質材で製作した板状のものとし、寝せて配置している。楕円形状の調節穴１２を連結片７の両端付近において上下方向であってしかも連結片７の長手方向にあけている。そして、ほぼ三角形状とした別体の小さい保持片１３を用意して立てた状態にし、保持片１３には連結片７側の上部に連結片７の両端部がちょうどはまる切込みを水平に設けている。その切込みに連結片７の端部をはめた状態にした上で、保持片１３に上下方向にあけた穴から��節穴１２を貫通させて止め具１４を圧入し、連結片７に対し保持片１３を固定している。止め具１４を調節穴１２内で移動させたり回転させたりできるようにしている。そして、立てた状態にした鼻当て６の上方部を保持片１３に沿わせ、保持片１３にあけた穴から鼻当て６の上方部にあけた穴へと止め具１４を圧入することで保持片１３に鼻当て６を取り付けている。止め具１４を圧入していることで、容易には動かすことはできないが、ある程度以上の力を加えて回転させ、左右の鼻当て６の角度調整を行うことができるようにしている。止め具１４としては、圧入式のものとしてもよいし、ねじ込み式等任意のものを採用できる。図３のものにおいては、両鼻当て６の間隔調整や角度調整を自由に行うことができる。
【実施例１】
【００２１】  実施例１を図４に基づいて説明する。図１・２に示した鼻当て部材５においては、左右の鼻当て６と両鼻当て６を連結する連結片７とを一体に形成している。実施例１のものにおいては、両鼻当て６と連結片７とを別別に製作している。そして、先端を二つ割れにした円形の止め具１４を用意し、止め具１４がはまる穴を連結片７の両端付近と鼻当て６の上端付近とに設け、止め具１４を穴にはめることで連結片７の両側に両鼻当て６を取り付けている。
【実施例２】
【００２２】  実施例２を図５に基づいて説明する。同じく連結片７と両鼻当て６とを別別に製作し、両者をねじよりなる止め具１４で連結するようにしている。
【実施例３】
【００２３】  実施例３を図６に基づいて説明する。連結片７の両端付近に楕円形状の調節穴１２を連結片７の長手方向かつ水平方向にあけ、調節穴１２から鼻当て６の上端付近へとねじよりなる止め具１４をねじ込んで鼻当て６を取り付けている。両鼻当て６の間隔や傾斜角度を調節することができる。調節穴１２を連結片７の長手方向かつ上下方向にあけ、連結片７と鼻当て６とを上下方向に配置した止め具１４で連結するようにしてもよい。
【実施例４】
【００２４】  実施例４を図７に基づいて説明する。連結片７の両端付近と鼻当て６とを水平方向に配置した止め具１４で連結し、止め具１４を中心にして鼻当て６の角度を調節できるようにしている。止め具１４を上下方向に配置して連結片７と鼻当て６とを連結してもよい。
【実施例５】
【００２５】  実施例５を図８に基づいて説明する。止め具１４を中心にして鼻当て６の角度調節ができるようにした点は実施例４と同じであるが、連結片７側に二つのストッパー１５を設け、両ストッパー１５の間での調節しかできないようにしている。同様に、止め具１４を上下方向に配置して連結片７と鼻当て６とを連結してもよい。
【実施例６】
【００２６】  実施例６を図９に基づいて説明する。連結片７に鼻当て６を止め具１４で取り付けているが、止め具１４を中心にして連結片７の端縁に波形の凹凸１６を設け、凹凸１６の凹部にはまる突起１７を鼻当て６側に設けている。突起１７をはめる凹部を選ぶことで鼻当て６の傾斜角度を調整する。同様に、止め具１４を上下方向に配置して連結片７と鼻当て６とを連結してもよい。
【図面の簡単な説明】
【００２７】
【図１】発明を実施するための最良の形態を示す斜視図である。
【図２】図１に示した鼻当て部材の正面図、平面図及び正面図のＡ−Ａ断面図である。
【図３】発明を実施するための別の最良の形態を示す正面図及び平面図である。
【図４】実施例１を示す正面図である。
【図５】実施例２を示す正面図である。
【図６】実施例３を示す正面図である。
【図７】実施例４を示す正面図である。
【図８】実施例５を示す正面図である。
【図９】実施例６を示す正面図である。
【符号の説明】
【００２８】  １    眼鏡枠
３    取付座
４    磁石
６    鼻当て
７    連結片
８    折曲げ部
１０    磁石
１１    磁石
１２    調節穴
１３    保持片
１４    止め具
【図１】
2005084664.tif 000003
【図２】
2005084664.tif 000004
【図３】
2005084664.tif 000005
【図４】
2005084664.tif 000006
【図５】
2005084664.tif 000007
【図６】
2005084664.tif 000008
【図７】
2005084664.tif 000009
【図８】
2005084664.tif 000010
【図９】
2005084664.tif 000011